(57)【要約】【課　題】庫内を適切に冷却するとともに、床暖房を効率よく行うことができる冷蔵庫を提供する。【解決手段】冷蔵庫（１）は、冷媒を圧縮するコンプレッサ（１６）、冷媒を送風機（１８）で空冷する凝縮器（１７）、減圧装置（２２）および、庫内を冷却する蒸発器（２３）を順次冷媒配管（２１）で接続してコンプレッサに戻る冷凍サイクルと、冷凍サイクルの冷媒の熱を二次冷媒へ熱交換させる熱交換器（２６）と、床暖房用パネル（３１）と、二次冷媒を熱交換器から床暖房用パネルを通して熱交換器へ循環させる二次冷媒用ポンプ（３７）と、床暖房用パネルを加熱する補助ヒータ（４１）と、二次冷媒温度センサ（４２）と、制御装置（５１）とを備え、制御装置が、二次冷媒用ポンプの稼働時に二次冷媒温度センサの検出値が床暖時設定温度未満の際には補助ヒータを稼働させる手段を具備している。【選択図】　図１
2004053214.tif 000002
【特許請求の範囲】
【請求項１】
冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を熱交換器から床暖房用パネルを通して再び熱交換器へ循環させる二次冷媒用ポンプと、
前記床暖房用パネルを加熱するための補助ヒータと、
二次冷媒の温度を検出する二次冷媒温度センサと、
前記二次冷媒用ポンプおよび補助ヒータを制御する制御装置とを備え、
前記制御装置が、コンプレッサに略連動して二次冷媒用ポンプを稼働させるとともに、二次冷媒用ポンプの稼働時に二次冷媒温度センサの検出値が床暖時設定温度未満の際には補助ヒータを稼働させる手段を具備していることを特徴とする冷蔵庫。
【請求項２】
冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を熱交換器から床暖房用パネルを通して再び熱交換器へ循環させる二次冷媒用ポンプと、
前記床暖房用パネルを加熱するための補助ヒータと、
前記冷凍サイクルの冷媒の圧力を検出する冷媒圧力センサと、
前記二次冷媒用ポンプおよび補助ヒータを制御する制御装置とを備え、
前記制御装置が、コンプレッサに略連動して二次冷媒用ポンプを稼働させるとともに、コンプレッサの稼働時に冷媒圧力センサの検出値が冷媒設定圧力未満の際には補助ヒータを稼働させる手段を具備していることを特徴とする冷蔵庫。
【請求項３】
前記制御装置が、コンプレッサの停止後、設定停止時間を経過しても、コンプレッサが再び稼働しない際には、前記補助ヒータを稼働させる手段を具備していることを特徴とする請求項１または２記載の冷蔵庫。
【発明の詳細な説明】
【０００１】
【発明の属する技術分野】
本発明は、台所などに設置される家庭用などの冷蔵庫に関する。
【０００２】
【従来の技術】
従来の冷蔵庫は、庫内の貯蔵物を冷却して冷蔵や冷凍している。そして、冷凍サイクル中の凝縮器からの放熱は、温かい空気となって排出されている。また、台所には、冬場などの寒い日に足元を温める床暖房用パネルが敷かれることがある。この床暖房用パネルは一般的に電気ヒータで加熱される。
【０００３】
【発明が解決しようとする課題】
ところで、床暖房用パネルを電気ヒータで加熱すると、電気の消費量が多く、ランニングコストが増大する。また、従来の冷蔵庫の凝縮器からの温かい空気では、足元を温めることはできない。
そこで、冷蔵庫の凝縮器からの廃熱を、床暖房用パネルの加熱に有効利用することを検討した。そして、凝縮器の温かい冷媒を二次冷媒であるブラインと熱交換して、ブラインを温め、この温かいブラインを床暖房用パネルに流す冷蔵庫の開発を行っている。
【０００４】
しかしながら、この様な冷蔵庫において、冷蔵庫の庫内が所望の温度となるように冷凍サイクルを稼働すると、床暖房が不十分になることがある。一方、床暖房に合わせて、冷凍サイクルを稼働すると、冷蔵庫の庫内が冷えすぎる現象が発生することがある。
【０００５】
本発明は、以上のような課題を解決するためのもので、庫内を適切に冷却するとともに、床暖房を効率よく行うことができる冷蔵庫を提供することを目的としている。
【０００６】
【課題を解決するための手段】
本発明の請求項１記載の冷蔵庫（１）は、冷媒を圧縮するコンプレッサ（１６）、このコンプレッサで圧縮されて高温・高圧となったガス状冷媒が送風機（１８）で空冷されて液化する凝縮器（１７）、減圧装置（２２）および、冷媒が蒸発して庫内を冷却する蒸発器（２３）を順次冷媒配管（２１）で環状に接続してコンプレッサに戻る冷凍サイクルと、前記冷凍サイクルの高圧側に設けられ冷媒の熱を二次冷媒へ熱交換させる熱交換器（２６）と、床暖房用パネル（３１）と、前記二次冷媒を熱交換器から床暖房用パネルを通して再び熱交換器へ循環させる二次冷媒用ポンプ（３７）と、前記床暖房用パネルを加熱するための補助ヒータ（４１）と、二次冷媒の温度を検出する二次冷媒温度センサ（４２）と、前記二次冷媒用ポンプおよび補助ヒータを制御する制御装置（５１）とを備え、前記制御装置が、コンプレッサに略連動して二次冷媒用ポンプを稼働させるとともに、二次冷媒用ポンプの稼働時に二次冷媒温度センサの検出値が床暖時設定温度未満の際には補助ヒータを稼働させる手段を具備している。
【０００７】
本発明の請求項２記載の冷蔵庫は、冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、前記冷凍サイクルの高圧側に設けられ冷媒の熱を二次冷媒へ熱交換させる熱交換器と、床暖房用パネルと、前記二次冷媒を熱交換器から床暖房用パネルを通して再び熱交換器へ循環させる二次冷媒用ポンプと、前記床暖房用パネルを加熱するための補助ヒータと、前記冷凍サイクルの冷媒の圧力を検出する冷媒圧力センサ（６１）と、前記二次冷媒用ポンプおよび補助ヒータを制御する制御装置とを備え、前記制御装置が、コンプレッサに略連動して二次冷媒用ポンプを稼働させるとともに、コンプレッサの稼働時に冷媒圧力センサの検出値が冷媒設定圧力未満の際には補助ヒータを稼働させる手段を具備している。
【０００８】
また、前記制御装置が、コンプレッサの停止後、設定停止時間を経過しても、コンプレッサが再び稼働しない際には、前記補助ヒータを稼働させる手段を具備している場合がある。
【０００９】
【発明の実施の形態】
次に、本発明における冷蔵庫の実施の第１の形態を図１ないし図５を用いて説明する。図１は本発明にかかる冷蔵庫の実施の第１の形態の概略の説明図である。図２は図１の冷蔵庫の冷媒回路およびブライン回路（二次冷媒の循環回路）の具体例の図である。図３は図２におけるフレーム部冷媒回路および床暖房用パネルを省略した図である。図４は制御装置の入出力図である。図５は補助ヒータの稼働のフローチャートである。なお、図２および図３では、機械室の機器を分かり易く図示するために、各機器が大きく図示されており、野菜室が小さく図示されている。
【００１０】
家庭用冷蔵庫１は、その外郭が断熱箱体２で構成されている。この断熱箱体２の内部空間すなわち庫内は、設定温度の異なる複数の部屋（この実施の形態では４室）に仕切られており、上側から冷蔵室６、冷凍室７、冷凍室８および野菜室９となっている。各室６〜９の前面は開口し、この前面開口は断熱扉（図示せず）で開閉自在に閉じられている。また、野菜室９の奥側は、機械室１１となっている。
【００１１】
機械室１１には、庫内を冷却するための機器、すなわち、コンプレッサ１６、凝縮器１７、凝縮器用送風機１８などが設けられている。コンプレッサ１６および凝縮器１７などは、冷媒配管２１で接続されて冷凍サイクルを構成し、冷凍サイクルの冷媒としては、ＣＯ２　（二酸化炭素）が用いられる。この冷凍サイクルは、図１に図示するように、コンプレッサ１６から、順次、凝縮器１７の上流部分（二次冷媒との熱交換部）１７ａ、下流部分１７ｂ、減圧装置である電動膨張弁２２および蒸発器２３が冷媒配管２１で接続されて、再びコンプレッサ１６に戻っている。そして、蒸発器２３で庫内の空気を冷却している。また、コンプレッサ１６から膨張弁２２までが、冷凍サイクルの高圧側となっている。
【００１２】
熱交換部１７ａはＣＯ２　冷媒の流れる冷媒配管と床暖房用パネル３１（詳細は後述する）用の液状の二次冷媒であるブラインが流れるブライン配管３２とが密着してらせん状に構成され両冷媒体間で熱交換が行われ、この熱交換部１７ａとブライン配管３２とで熱交換器２６が構成されている。熱交換器２６内の凝縮器１７の冷媒の流れと二次冷媒の流路であるブライン配管３２のブラインの流れとは対向流となっており、熱交換器２６内において、上流部分１７ａの上流側の冷媒が下流側のブラインと熱交換し、上流部分１７ａの下流側の冷媒が上流側のブラインと熱交換するように構成されている。また、凝縮器１７の下流部分１７ｂは、凝縮器用送風機１８で空冷され、冷媒は室温近くまで低下する。ところで、図１の冷凍サイクルでは、凝縮器用送風機１８で冷却された冷媒は、直ぐに膨張弁２２に流れているが、実際は、図２に図示するように、凝縮器用送風機１８で冷却された冷媒は、一旦断熱箱体２の左側壁を蛇行し断熱箱体２の上壁を通り、ついで、断熱箱体２の右側壁を蛇行してから再び断熱箱体２の上壁前部を通り、断熱箱体２の前面部分を蛇行しながら下方に行ってから、膨張弁２２に達している。そして、断熱箱体２の前面部分を蛇行している冷媒配管２１が結露防止パイプとなっている。
【００１３】
床暖房用パネル３１は、その内部に二次冷媒の流路であるブライン配管３３が蛇行して配置されており、床暖房用パネル３１のブライン配管３３と機械室１１内のブライン配管３２とはカプラ３６で着脱自在に接続されている。冷蔵庫１の本体には、下部側面（この実施の形態では前面）にカプラ３６を接続するためのカプラ連結部が設けられている。また、機械室１１のブライン配管３２には、ブラインを流すためのブラインポンプ３７が設けられている。この二次冷媒用ポンプであるブラインポンプ３７の上流側のブライン配管３２には、ブラインである水を補充するための二次冷媒タンクとしての注水タンク３８が接続されている。
【００１４】
そして、補助ヒータ４１が冷蔵庫１の本体側のブライン配管３２の出口側に設けられている。ブラインの温度を計測する二次冷媒温度センサである補助ヒータ用ブライン温度センサ４２が補助ヒータ４１の下流に配置され、補助ヒータ４１で加熱されたブラインの温度を検出する。また、ブラインポンプ用ブライン温度センサ４３がブラインポンプ３７の上流側に配置され、床暖房用パネル３１からの戻りのブラインの温度を検出する。さらに、床暖房用パネル３１には、床暖表示ランプ４４が設けられている。床暖表示ランプ４４への給電は、カプラ３６により冷蔵庫１の本体側から行われ、ブラインポンプ３７や補助ヒータ４１が稼働している際に点灯する。
【００１５】
また、図４に図示するように、冷蔵庫１には、制御装置５１が設けられており、この制御装置５１はマイコンなどで構成されている。そして、この制御装置５１には、種々の電気部品が接続されているが、特に補助ヒータ４１の制御のための電気部品として、入力側に、ブライン温度センサ４２，４３、庫内の温度を検出する庫内温度センサ５２、冷蔵庫１の設置されている部屋（たとえば、台所など）の室温を検出する室温センサ５３、カプラ３６が接続されていることを検知する手段であるカップリングセンサ５４、床暖房を行うか否かを選択するための床暖スイッチ５６、および、床暖房用パネル３１付近に人がいるか否かを検知する人感センサ５７などが接続され、一方、出力側に、コンプレッサ１６、ブラインポンプ３７、補助ヒータ４１および床暖表示ランプ４４などが接続されている。床暖スイッチ５６は、足で操作するフットスイッチなどで構成され、床暖房を利用したいと思った人がＯＮ側に操作し、床暖房を停止させたいと思った人がＯＦＦ側に操作する。なお、制御装置５１の記憶部（ＲＯＭやＲＡＭなど）には種々の設定値が記憶されるとともに、図示しないタイマを内蔵している。また、制御装置５１は、補助ヒータ４１の制御以外に種々の制御（たとえば、庫内の温度制御、前述の床暖表示ランプ４４の点灯の制御など）を行っている。
【００１６】
この様に構成されている実施の第１の形態の冷蔵庫１は、コンプレッサ１６が稼働すると、冷媒（ＣＯ２　）はコンプレッサ１６で圧縮されて、ついで、凝縮器１７（上流部分１７ａの熱交換部および下流部分１７ｂの空冷部分）においてブライン配管３２のブラインおよび凝縮器用送風機１８で冷却されて、膨張弁２２を通って、蒸発器２３で蒸発して低温となり、庫内の空気を冷却している。
【００１７】
凝縮器１７において冷媒を冷却した廃熱は、従来外気に放出されていたが、この実施の形態では、台所などでの床暖房に有効利用する。冬場などに床暖房に利用する際には、床暖房用パネル３１のカプラ３６を冷蔵庫１の本体のカプラ連結部に連結し、冷蔵庫１本体のブライン配管３２と床暖房用パネル３１のブライン配管３３とを接続する。ブラインポンプ３７は、コンプレッサ１６が稼働すると略連動して稼働し、熱交換器２６で凝縮器１７の冷媒により暖められたブラインを床暖房用パネル３１に循環させる。この様にして、床暖房用パネル３１は温かくなる。なお、ブラインポンプ３７はコンプレッサ１６と略連動しているが、コンプレッサ１６の停止時から少し遅延して、ブラインポンプ３７は停止する。また、凝縮器用送風機１８の制御方法は種々考えられるが、一般的には、ブラインポンプ３７と同様に、コンプレッサ１６と略連動しているとともに、コンプレッサ１６の停止時には少し遅延して停止する。
【００１８】
そして、夏場などにも、冷房による足元の冷えを防止することができる。また、床暖房が不要な場合には、ブラインポンプ３７は停止している。その際に、床暖房用パネル３１が邪魔になる場合には、カプラ３６を冷蔵庫１の本体から離脱させて、床暖房用パネル３１を取り外し、適宜の場所（たとえば、物置など）に収納することができる。
【００１９】
ところで、冷蔵庫１の冷凍サイクルは、庫内の温度が所望の値となるように制御されており、廃熱が床暖房の加熱には不足していることがある。そこで、冷凍サイクルからの廃熱が床暖房の加熱には不足している場合には、補助ヒータ４１を稼働して、最適な床暖房を行うようにしている。
【００２０】
上記補助ヒータ４１の制御のフローを図５のフローチャートに基づいて説明する。
ステップ１において、制御装置５１は、床暖スイッチ５６がＯＮ側に操作されているか否かを判断し、ＯＮの場合にはステップ２に行き、一方、ＯＦＦの場合にはステップ１１に行く。そして、ステップ１１において、制御装置５１はブラインポンプ３７や補助ヒータ４１が稼働している場合には停止させて、ステップ１に戻り、また、ブラインポンプ３７や補助ヒータ４１が停止している場合には、停止している状態を維持して、ステップ１に戻り、床暖スイッチ５６がＯＮ側に切り換わるまで待機する。
【００２１】
ステップ２において、制御装置５１は、カップリングセンサ５４により、カプラ３６が接続されているか否かを判定し、接続されていない場合にはステップ１１に行き、カプラ３６が接続されるまで待機する。一方、ステップ２において、制御装置５１が、カプラ３６の接続を確認すると、ステップ３に行く。
【００２２】
ステップ３において、制御装置５１は、室温センサ５３の検出値である室温が、制御装置５１に予め設定されている床暖房停止室温（たとえば、約２５℃）以上か否かを判定し、床暖房停止室温以上の場合にはステップ１１に行く。そして、ステップ１１において、制御装置５１はブラインポンプ３７や補助ヒータ４１が稼働している場合には停止させて、ステップ１に戻り、また、ブラインポンプ３７や補助ヒータ４１が停止している場合には、停止している状態を維持して、ステップ１に戻り、室温センサ５３の検出値である室温が床暖房停止室温未満に低下するまで待機する。一方、ステップ３において、制御装置５１が、室温センサ５３の検出した室温が床暖房停止室温未満と判定した場合には、ステップ４に行く。
【００２３】
ステップ４において、制御装置５１は、人感センサ５７が人を検知しているか否かを判定し、人を検知していない場合にはステップ１１に行く。そして、ステップ１１において、制御装置５１はブラインポンプ３７や補助ヒータ４１が稼働している場合には停止させて、ステップ１に戻り、また、ブラインポンプ３７や補助ヒータ４１が停止している場合には、停止している状態を維持して、ステップ１に戻り、人感センサ５７が人を検知するまで待機する。一方、ステップ４において、人感センサ５７が人を検知したと、制御装置５１が判断した場合には、ステップ５に行く。
【００２４】
ステップ５において、制御装置５１は、コンプレッサ１６が稼働しているか否かを判定する。コンプレッサ１６の制御方法には種々あるが、一般的には、庫内温度センサ５２の検出値が、制御装置５１に予め設定されている設定庫内温度になるように制御装置５１により制御されている。そのため、コンプレッサ１６の稼働時には、制御装置５１からコンプレッサ１６に稼働信号が出力されており、制御装置５１はコンプレッサ１６の稼働か否かを判定することが可能である。そして、コンプレッサ１６が停止していると制御装置５１が判定した場合には、ステップ１２に行き、一方、コンプレッサ１６が稼働していると制御装置５１が判定した場合には、ステップ６に行く。
【００２５】
ステップ１２において、制御装置５１は、補助ヒータ４１が稼働している場合には停止させ、また、補助ヒータ４１が停止している場合には停止している状態を維持して、ステップ１３に行く。ステップ１３において、制御装置５１は、ブラインポンプ３７が稼働している場合には遅延させてから停止させ、また、ブラインポンプ３７が停止している場合には停止している状態を維持して、ステップ１４に行く。
【００２６】
ステップ１４において、制御装置５１は、内蔵しているタイマで、ブラインポンプ３７や補助ヒータ４１による床暖房用パネル３１の加熱を停止してからの経過時間であるパネル加熱停止時間を計測する。そして、ステップ１５に行く。ステップ１５において、制御装置５１は、パネル加熱停止時間が、制御装置５１に予め設定されている設定停止時間（たとえば、約１０分）になったか否かを判定し、設定停止時間になっていない場合には、ステップ１に戻り、パネル加熱停止時間が設定停止時間になるのを待つ。一方、ステップ１５において、パネル加熱停止時間が設定停止時間になったと制御装置５１が判断した場合には、ステップ１６に行く。
【００２７】
ステップ１６において、制御装置５１は、パネル加熱停止時間の計測をリセットし、０とする。そして、ステップ１７に行き、制御装置５１は補助ヒータ４１およびブラインポンプ３７を、制御装置５１に予め設定されている設定加熱時間（たとえば、約１０分）稼働させ、ステップ１に戻る。なお、ステップ１７において、補助ヒータ４１による加熱の最中に、コンプレッサ１６が稼働した場合には、割り込み処理をして、ステップ６に行く。
【００２８】
また、前述のステップ５において、コンプレッサ１６が稼働していると制御装置５１が判定した場合には、ステップ６に行く。ステップ６において、制御装置５１は、パネル加熱停止時間の計測をリセットし、０とする。そして、ステップ７に行く。
【００２９】
ステップ７において、制御装置５１は、ブラインポンプ３７が停止している場合には稼働させ、また、ブラインポンプ３７が稼働している場合には稼働している状態を維持して、ステップ８に行く。
【００３０】
ステップ８において、制御装置５１は、ブラインポンプ３７が稼働している状態で、補助ヒータ用ブライン温度センサ４２の検出値である補助ヒータ用ブライン温度が、制御装置５１に予め設定されている床暖時設定温度としての補助ヒータ用ブライン設定温度（たとえば、約５０℃）以上か否かを判定し、ブラインポンプ３７が稼働しているにもかかわらず、補助ヒータ用ブライン設定温度未満の場合にはステップ９に行く。
【００３１】
そして、ステップ９において、制御装置５１は、補助ヒータ４１を稼働させて、ステップ１に戻る。一方、ステップ８において、補助ヒータ用ブライン設定温度以上の場合にはステップ１０に行く。ステップ１０において、制御装置５１は補助ヒータ４１が稼働している場合には停止させて、ステップ１に戻り、また、補助ヒータ４１が停止している場合には、停止している状態を維持して、ステップ１に戻る。
【００３２】
この様にして、ブラインポンプ３７は、床暖スイッチ５６がＯＮで、カプラ３６により床暖房用パネル３１が冷蔵庫１の本体に接続され、冷蔵庫１の設置されている部屋の室温が床暖房停止室温未満で、コンプレッサ１６がＯＮで、かつ、人感センサ５７が床暖房用パネル３１付近に人を感知している場合に、稼働し、床暖房用パネル３１に温かいブラインを供給することができる。そして、このブラインポンプ３７の稼働にもかかわらず、床暖房用パネル３１の温度が低い場合には、補助ヒータ４１でブラインを加熱することができる。また、室温があまり低いと、冷蔵庫１の庫内を冷却するのに要する冷凍サイクルの稼働時間が短くなるとともに、コンプレッサ１６の停止期間が長くなる。そのため、床暖房用パネル３１の冷えている期間が長くなる。そこで、コンプレッサ１６の停止期間が長くなりすぎると、コンプレッサ１６の停止時に、補助ヒータ４１が所定時間間隔でブラインを加熱する。そのため、庫内の冷却に合わせてコンプレッサ１６を稼働しても、補助ヒータ４１を適宜稼働することにより、床暖房用パネル３１を最適に加熱することができる。
【００３３】
次に、本発明における冷蔵庫の実施の第２の形態を説明する。図６は本発明にかかる冷蔵庫の実施の第２の形態の概略の説明図である。なお、この実施の第２の形態の説明において、前記実施の第１の形態の構成要素に対応する構成要素には同一符号を付して、その詳細な説明は省略する。
【００３４】
実施の第２の形態では、凝縮器１７の冷媒配管２１の冷媒圧力（すなわち、冷凍サイクルの高圧側の冷媒圧力）を検出する冷媒圧力センサ６１が設けられ、この冷媒圧力センサ６１の検出値が制御装置５１に入力されている。そして、前述の実施の第１の形態における図５のフローチャートのステップ８に代えるステップ８−２として、制御装置５１は、冷媒圧力センサ６１の検出値である冷媒圧力が、制御装置５１に予め設定されている冷媒設定圧力未満か否かを判定し、冷媒設定圧力未満の場合にはステップ９に行く。
【００３５】
そして、ステップ９において、制御装置５１は、補助ヒータ４１を稼働させて、ステップ１に戻る。一方、ステップ８−２において、冷媒設定圧力以上の場合にはステップ１０に行く。ステップ１０において、制御装置５１は補助ヒータ４１が稼働している場合には停止させて、ステップ１に戻り、また、補助ヒータ４１が停止している場合には、停止している状態を維持して、ステップ１に戻る。なお、他のステップは実施の第１の形態と同じである。
【００３６】
この様にして、冷凍サイクルの冷媒圧力が低下しすぎると、補助ヒータ４１を稼働させる。そして、この補助ヒータ４１の稼働でブライン温度を上昇させることにより、熱交換時における冷媒の温度低下を減少させて、冷媒圧力を上昇させることができる。
【００３７】
前述のように、実施の形態では、冷蔵庫１の凝縮器の廃熱を床暖房用パネル３１の加熱に有効利用することができる。床暖房用パネル３１は、ブラインで加熱されており、冷媒配管の様に高圧ではないため、取り扱いが容易である。また、補助ヒータ４１で床暖房用パネル３１を補助的に加熱することができる。
【００３８】
前述の様にして、制御装置５１は、（１）コンプレッサに略連動して二次冷媒用ポンプを稼働させる手段すなわち、コンプレッサが稼働すると二次冷媒用ポンプを稼働させるとともに、コンプレッサが停止すると二次冷媒用ポンプを遅延させて停止させる手段、（２）室温センサの検出温度が予め設定されている床暖房停止室温以上になると、二次冷媒用ポンプを停止させる手段、（３）床暖房用パネルが冷蔵庫本体に接続されているか否かを検知する手段、（４）床暖房用パネルが冷蔵庫本体に接続されていない場合には、二次冷媒用ポンプを停止させる手段、（５）二次冷媒用ポンプの稼働時に二次冷媒温度センサの検出温度が床暖時設定温度未満の際には補助ヒータを稼働させる手段、（６）二次冷媒用ポンプまたは補助ヒータの少なくとも一方が稼働している際に床暖表示ランプを点灯させる手段などを具備している。
この様に、制御装置５１は、上記手段以外にも、実行される各作用に対応して各々作用を実行する手段を具備している。また、全ての手段を具備している必要は必ずしもない。
【００３９】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）冷凍サイクルの冷媒は、適宜選択可能である。ただし、ＣＯ２　が最適である。
【００４０】
（２）冷蔵庫１の形式や構造などは適宜選択可能であるが、好ましくは、家庭用であり、その庫内は少なくとも３温度帯（すなわち、冷蔵室、冷凍室および野菜室）に仕切られている。
（３）ブラインは液状の二次冷媒であり、水でも可能である。
（４）冷蔵庫１の本体側のカプラ連結部は、図２に図示するように、冷蔵庫本体の下部の前面に設けられているが、下部の側面（前後面を含む）であればよく、左右側面に設けることも可能である。
【００４１】
（５）補助ヒータは、冷蔵庫本体側に配置されているが、床暖房用パネルに配置することも可能である。なお、補助ヒータを床暖房用パネルに設けた場合には、補助ヒータ稼働時における二次冷媒用ポンプの稼働は必ずしも必要ではない。
（６）ブライン温度センサは、ブラインの温度を検出することができるならば、その配置位置は適宜変更可能である。
（７）人感センサは床暖房用パネル付近の人を検知することができるならば、その形式は適宜変更可能である。たとえば、赤外線センサや、床暖房用パネルに設けられる感圧センサなどで構成することが可能である。
【００４２】
（８）床暖房用パネルの加熱間隔を決定する設定停止時間、補助ヒータ用ブライン設定温度などの各種設定値は適宜変更可能である。
（９）床暖房用パネル３１が冷蔵庫１の本体に接続されていることを検知する手段は、カップリングセンサ５４で構成されているが、他の手段で検知することも可能である。たとえば、床暖房用パネル３１の補助ヒータや床暖表示ランプ４４に冷蔵庫１の本体側から電気を供給することより、接続を検知することも可能である。
【００４３】
【発明の効果】
本発明によれば、冷蔵庫の冷凍サイクルの高圧側の冷媒と二次冷媒とを熱交換する熱交換器が設けられ、この二次冷媒がポンプにより床暖房用パネルに供給されている。したがって、冷蔵庫の庫内を冷却する際の廃熱で床暖房用パネルを温めることができ、ランニングコストを削減することができる。かつ、冷凍サイクルの冷媒を効率よく冷却することができる。冷蔵庫は一般的に台所に設置されており、台所の床暖房に利用することができる。床暖房用パネルを冷凍サイクルの高圧側の冷媒で加熱すると、この冷媒は高圧であるので配管コストが増大するが、冷媒の熱を二次冷媒で交換しており、取り扱いが容易となる。しかも、二次冷媒用ポンプの稼働時に二次冷媒温度センサの検出値が床暖時設定温度未満の際には補助ヒータを稼働させており、冷蔵庫の庫内を冷却するのに要する冷熱の量と、床暖房用パネルを加熱するのに要する熱量とに差がある場合にも、補助ヒータで加熱することにより、その熱量の差を補うことができる。その結果、冷蔵庫の庫内を冷却しすぎることを防止することができる。
【００４４】
また、コンプレッサの稼働時に冷媒圧力センサの検出値が冷媒設定圧力未満の際には補助ヒータを稼働させているので、冷凍サイクルの冷媒が二次冷媒で冷却され過ぎて、冷凍サイクルの冷媒の圧力が低下し過ぎることを防止することができる。
【００４５】
さらに、コンプレッサの停止後、設定停止時間を経過しても、コンプレッサが再び稼働しない際には、補助ヒータを稼働させており、床暖房用パネルが加熱されない状態が長期間続くことを極力防止することができる。その結果、快適な床暖房を行うことができる。
【図面の簡単な説明】
【図１】図１は本発明にかかる冷蔵庫の実施の第１の形態の概略の説明図である。
【図２】図２は図１の冷蔵庫の冷媒回路およびブライン回路の具体例の図である。
【図３】図３は図２におけるフレーム部冷媒回路および床暖房用パネルを省略した図である。
【図４】図４は制御装置の入出力図である。
【図５】図５は補助ヒータの稼働のフローチャートである。
【図６】図６は本発明にかかる冷蔵庫の実施の第２の形態の概略の説明図である。
【符号の説明】
１　冷蔵庫
１６　コンプレッサ
１７　凝縮器
１８　凝縮器用送風機
２１　冷媒配管
２２　膨張弁（減圧装置）
２３　蒸発器
２６　熱交換器
３１　床暖房用パネル
３７　ブラインポンプ（二次冷媒用ポンプ）
４１　補助ヒータ
４２　補助ヒータ用ブライン温度センサ（二次冷媒温度センサ）
５１　制御装置
６１　冷媒圧力センサ
【図１】
2004053214.tif 000003
【図２】
2004053214.tif 000004
【図３】
2004053214.tif 000005
【図４】
2004053214.tif 000006
【図５】
2004053214.tif 000007
【図６】
2004053214.tif 000008